(57)【要約】【課題】安価な方法で外蓋を確実にロックし、かつ、信頼性および安全性の高い脱水機を実現する。【解決手段】前内蓋５８ａと後内蓋５８ｂとは、内蓋連結軸部７２により中折れ状態になるように連結され、後内蓋５８ｂはその後端部が回転可能に枢支され、前内蓋５８ａの両側壁の前端部には略円筒状の突起７３を設け、突起７３はカバー体４６の開口部４７の上部両側壁に設けたガイド溝７４内で遊嵌されており、一方、外蓋５０のロック時は、ロック面６７ａにより後方突出部５２の矢印Ａ方向へ回転が規制され、押圧部材６８の当接面６８ａが下スイッチレバー先端部７１ｂに当接し下方より上方へ押し上げ、モータ４４への通電が可能な状態となり、ブレーキ機構５４に連結した略逆Ｌ字部５７ｂが後方突出部５２に係止されるため、ブレーキが解除され、脱水かご４３が回転可能な状態となる。【選択図】図１
2005287617.tif 000002
【特許請求の範囲】
【請求項１】
本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋と、前記外蓋を閉状態にロックするロック構成部材とを備え、前記外蓋の後端部には後方へ突出する後方突出部を設け、前記ロック構成部材は、一体に設けられたロック部が前記後方突出部の下方に移動し前記後方突出部の動きを規制することにより前記外蓋を閉状態にロックするように構成するとともに、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持された脱水機。
【請求項２】
モータへの通電を制御する開閉スイッチを備え、ロック構成部材には当接することにより前記開閉スイッチを閉状態にする当接部を一体に設け、前記ロック構成部材に一体に設けられたロック部が外蓋の後方突出部の下方に移動し前記後方突出部の動きを規制するとともに、前記当接部が当接することにより前記開閉スイッチを閉状態にするように構成した請求項１記載の脱水機。
【請求項３】
外蓋の後方に設けられ後方突出部およびロック構成部材を覆うパネル部材と、前記パネル部材に設けられその外方からのスライド操作が可能なスライド部材とを備え、前記スライド部材のスライド動作に連動して前記ロック構成部材が移動するように構成した請求項１または２に記載の脱水機。
【請求項４】
ロック構成部材に回転軸を設け、前記ロック構成部材が前記回転軸を中心に回転するように構成した請求項１〜３のいずれか１項に記載の脱水機。
【請求項５】
前内蓋の左右両側壁の前端部に突起を設け、本体には前記前内蓋および後内蓋の左右両側壁に対向して前後に延びた凹溝を設け、前記突起が前記凹溝内を前後方向にスライドするように構成した請求項１〜４のいずれか１項に記載の脱水機。
【請求項６】
内蓋を開くための内蓋取手部を前内蓋または後内蓋の少なくともいずれか一方に設け、前記内蓋取手部は凹状に凹んだ凹部を有し、外蓋には前記凹部の対応位置にリブを設け、前記外蓋が閉じられた状態において、前記リブの下端部分が前記内蓋取手部に近接するとともに前記凹部に近接または入り込むように構成した請求項１〜５のいずれか１項に記載の脱水機。
【発明の詳細な説明】
【技術分野】
【０００１】
本発明は外蓋と内蓋と蓋のロック機構とを有する脱水機に関するものである。
【背景技術】
【０００２】
従来、脱水機においては、脱水かごの上方に外蓋を設け、その開閉をスイッチのオン・オフおよびブレーキ動作と連動させ、外蓋を開いたときは脱水かごに連結したモータの電源を切り、脱水かごの回転を停止させていた。しかしながら、外蓋を開いても脱水かごはしばらくの間、慣性によって回転を続けるので、その回転中に脱水かごの中に手を入れると手指を傷つけることがあった。そこでそれに対応するために脱水かごの上方開口部を開閉自在に覆うように一端を軸支してなる内蓋と、この内蓋の上方を開閉自在に覆うように内蓋の一端と対応する端部を軸支してなる外蓋とを設けた脱水機が提供されている（例えば、特許文献１参照）。また、外蓋にロックがかかるロック機構を有する脱水機が提供されている（例えば、特許文献２参照）。
【０００３】
図７は、従来の外蓋および内蓋を有する脱水機を、図８は、ロック機構を有する脱水機のロック機構部分を示したもので、以下その構成について説明する。
【０００４】
図７において、本体１の下部にはベース２が設けられており、内部には水受槽３が設けられている。水受槽３はその上部に操作パネル４を載置するとともに、内部に脱水かご５を回転自在に配設している。水受槽３の上方開口周縁には、衣類投入用開口部６を設けるとともに、内蓋７を開閉自在とするべくその一端側を軸支した軸支部８および内蓋７の軸支側と対向する端部に設けた爪９を着脱自在に係止する孔よりなる係止部１０を具備した脱水カバー１１を設けている。脱水カバー１１の衣類投入用開口部６は脱水かご５の開口部１２の上方に位置し、内蓋７は開口部６を開閉する。外蓋１３は、操作パネル４の内部において、内蓋７の軸支部８側の端部を軸支しており、脱水カバー１１および内蓋７の上方を開閉自在に覆っている。
【０００５】
以上のように構成された脱水機について、その動作を以下に説明する。脱水かご５の回転中に使用者が、何らかの理由（被脱水物の追加、あるいは途中取り出し）で、外蓋１３を開放すると、外蓋１３の開閉に連動する開閉スイッチ（図示せず）が開状態となることにより、脱水かご５を回転させるモータ（図示せず）への通電が断たれるとともに、ブレーキが動作する。その後使用者は、内蓋７を引き上げ開放し、衣類投入用開口部６から手を入れ、脱水かご５内の被脱水物に取り出す。
【０００６】
また、図８に示す脱水機は、本体１の上部にタンク１５が載置され、タンク１５を構成する水受槽１７内に脱水かご１６が装備され、水受槽１７の前面上部には凹部の段部１８が形成されている。この段部１８には、外蓋１９のロック用略Ｌ字形の係止突起２０を脱水かご１６の回転中ロックして外蓋１９が開かないようにするための操作レバー２１を設けている。操作レバー２１は操作軸２２に軸支され、係止突起２０と係合する略逆Ｌ字形の爪部２３を有している。また操作レバー２１には、脱水機下部のモータの回転検知部（図示せず）と連結するワイヤー２４を挿着した操作棒２５を連結している。操作棒２５はその上端部２７を操作レバー２１に設けた連結孔２６に挿入して遊嵌状態に連結している。操作棒２５はその下部にワイヤー２４との連結部２８を有し、かつ上端部２７と連結部２８との中間部２９には蛇腹パッキング３０の固定部３１が水密に取り付けられている。蛇腹パッキング３０の下部は中空で中央にワイヤー２４が通る孔を有するパッキング取付具１４により段部１８の底面に取り付けられている。取付具１４には、段部１８の裏面まで突出させた突出部を有しその突出部の外周のねじ部３２を設け、取付具１４は、ワイヤー２４の外周に遊嵌にて挿着されたチューブ３４の上端を固定する上端固定部３５を有するチューブ固定具３６に設けたねじ部３３にねじ部３２を螺着させることにより固定している。
【０００７】
水受槽１７にはその上面を覆うカバー体３７を設け、カバー体３７には衣類を投入するための投入口３８を設けている。水受槽１７には、その水受槽１７と、操作レバー２１を収納する段部１８とを仕切る仕切りカバー３９を設け、その上面には外蓋１９の係止突起２０を通す通孔４０を設けている。
【０００８】
以上のように構成された脱水機について、その動作を以下に説明する。モータの回転検知部（図示せず）と連結されたワイヤー２４が脱水中は、引張り力Ｆが与えられ、外蓋１９をロックする。脱水が終了すると、これを検知してワイヤー２４を緩める。ここで操作レバー２１は常にイ方向に付勢されているため、外蓋１９が操作レバー２１の爪部２３と係止状態とならず、仕切りカバー３９の通孔４０を外蓋１９の係止突起２０が自由に出入りでき、ロック開放状態となる。
【特許文献１】実公昭６１−３７４３６号公報
【特許文献２】特公昭５９−１３２３９号公報
【発明の開示】
【発明が解決しようとする課題】
【０００９】
しかしながら、上記のような従来の外蓋と内蓋を有する脱水機においては、使用者が、脱水かご５の回転中に外蓋１３を少しだけ開け、さらにその後すぐに内蓋７を少しだけ開けると、脱水かご５が高速で回転している状態で、その脱水かご５の上縁や中の被脱水物に手や指が触れ得る可能性があり、手や指を傷つけるといった危険な状態になる可能性があった。
【００１０】
また、従来のロック機構を有する脱水機においては、外蓋１９をロックするために、モータの回転検知部とワイヤー２４に引張り力を与えるための駆動装置が必要となり、コストが大幅にかかるものとなっていた。また、モータの回転検知部やワイヤー２４に引張り力を与えるための駆動装置が故障した場合など、外蓋１９をロックできず、危険な状態になる可能性があった。
【００１１】
本発明は、上記従来の課題を解決するもので、安価な方法で外蓋を確実にロックし、かつ、信頼性の高いロック機構を有するとともに、脱水かごが高速回転状態では使用者は脱水かごに触れることはできず、脱水かごが完全に停止した状態であるか、あるいは、回転していたとしても安全性を確保できる低い所定回転速度以下の状態でしか脱水かごに触れることができないようにしているので、安価で、信頼性および安全性の高い脱水機を提供することを目的としている。
【課題を解決するための手段】
【００１２】
本発明は上記目的を達成するために、本発明の脱水機は、本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋と、前記外蓋を閉状態にロックするロック構成部材とを備え、前記外蓋の後端部には後方へ突出する後方突出部を設け、前記ロック構成部材は、一体に設けられたロック部が前記後方突出部の下方に移動し前記後方突出部の動きを規制することにより前記外蓋を閉状態にロックするように構成するとともに、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持されたものである。
【００１３】
これにより、外蓋をロックするために、モータの回転検知部およびワイヤーに引張り力を与えるための駆動装置が必要でないので、安価な方法で外蓋を確実にロックし、かつ、信頼性の高いロック機構を実現することができるとともに、脱水かごが高速回転状態では使用者は脱水かごに触れることはできず、脱水かごが完全に停止した状態であるか、あるいは、回転していたとしても安全性を確保できる低い所定回転速度以下の状態でしか脱水かごに触れることができないようにしているので、安価で、信頼性および安全性の高い脱水機を提供することができる。
【発明の効果】
【００１４】
本発明の脱水機は、ロックするための駆動装置等が必要なく、安価な方法で外蓋を確実にロックでき、かつ、信頼性の高いロック機構を有するとともに、脱水かごが高速回転状態では使用者は脱水かごに触れることはできず、脱水かごが完全に停止した状態であるか、あるいは、回転していたとしても安全性を確保できる低い所定回転速度以下の状態でしか脱水かごに触れることができないようにしているので、信頼性および安全性を向上させることができるとともに、低コスト化も実現させることができる。
【発明を実施するための最良の形態】
【００１５】
第１の発明は、本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋と、前記外蓋を閉状態にロックするロック構成部材とを備え、前記外蓋の後端部には後方へ突出する後方突出部を設け、前記ロック構成部材は、一体に設けられたロック部が前記後方突出部の下方に移動し前記後方突出部の動きを規制することにより前記外蓋を閉状態にロックするように構成するとともに、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持された脱水機とすることにより、ロックするための駆動装置等が必要なく、安価な方法で外蓋を確実にロックし、かつ、信頼性の高いロック機構を有するとともに、脱水かごが高速回転状態では使用者は脱水かごに触れることはできず、脱水かごが完全に停止した状態であるか、あるいは、回転していたとしても安全性を確保できる低い所定回転速度以下の状態でしか脱水かごに触れることができないようにしているので、信頼性および安全性を向上させることができるとともに、低コスト化も実現させることができる。
【００１６】
第２の発明は、上記第１の発明の脱水機において、モータへの通電を制御する開閉スイッチを備え、ロック構成部材には当接することにより前記開閉スイッチを閉状態にする当接部を一体に設け、前記ロック構成部材に一体に設けられたロック部が外蓋の後方突出部の下方に移動し前記後方突出部の動きを規制するとともに、前記当接部が当接することにより前記開閉スイッチを閉状態にするように構成したことにより、外蓋を開く動作を行う前に、確実にモータへの通電を遮断することができ、安価な方法で、安全性を向上させることができる。
【００１７】
第３の発明は、上記第１または第２の発明の脱水機において、外蓋の後方に設けられ後方突出部およびロック構成部材を覆うパネル部材と、前記パネル部材に設けられその外方からのスライド操作が可能なスライド部材とを備え、前記スライド部材のスライド動作に連動して前記ロック構成部材が移動するように構成したことにより、スライド部材により使用者が容易に外蓋をロック状態あるいはロック解除状態にすることができる。
【００１８】
第４の発明は、上記第１〜第３のいずれか１つの発明の脱水機において、ロック構成部材に回転軸を設け、前記ロック構成部材が前記回転軸を中心に回転するように構成したことにより、ロック部材の移動を容易にかつ確実に行うことができる。
【００１９】
第５の発明は、上記第１〜第４のいずれか１つの発明の脱水機において、前内蓋の左右両側壁の前端部に突起を設け、本体には前記前内蓋および後内蓋の左右両側壁に対向して前後に延びた凹溝を設け、前記突起が前記凹溝内を前後方向にスライドするように構成したことにより、前内蓋および後内蓋を円滑に開閉することができるとともに、前内蓋の前端部を上げて蓋を開くといった動作を確実に防止することができるので、手や指が中に入ってしまうという危険な状態になるのを防止することができ、安全性を向上させることができる。
【００２０】
第６の発明は、上記第１〜第５のいずれか１つの発明の脱水機において、内蓋を開くための内蓋取手部を前内蓋または後内蓋の少なくともいずれか一方に設け、前記内蓋取手部は凹状に凹んだ凹部を有し、外蓋には前記凹部の対応位置にリブを設け、前記外蓋が閉じられた状態において、前記リブの下端部分が前記内蓋取手部に近接するとともに前記凹部に近接または入り込むように構成したことにより、内蓋を円滑に開閉することができるとともに、外蓋をその前端部の下から手または指が入る程度開けただけでは、対向リブが邪魔になり使用者は内蓋取手部に手をかけることができず、内蓋を開けることができないので、高速回転している脱水かごに触れることができず、さらに安全性を向上させることができる。
【００２１】
以下、本発明の実施の形態について、図面を参照しながら説明する。また、この実施の形態によって本発明が限定されるものではない。
【００２２】
（実施の形態１）
図１は本発明の実施の形態１における脱水機の側断面図である。図１において、脱水機の本体４１には、水受槽４２を内設し、その水受槽４２内に脱水かご４３を配設するとともに、本体４１の下部に脱水かご４３を回転駆動するモータ４４を弾性支持機構４５を介して弾性支持している。水受槽４２の上面には本体４１の一部をなすカバー体４６を装着し、その略中央部には脱水かご４３内に臨む被脱水物の出し入れ用の開口部４７を形設している。
【００２３】
本体４１の後方上部にはパネル台４８が取り付けられ、そのパネル台４８を覆うようにパネル部材４９が設けられている。その前方には外蓋５０が設けられ、外蓋５０は後端部にヒンジ部５１と後方突出部５２を形成している。パネル部材４９の内部でパネル台４８の上面には、ヒンジ部５１に設けたヒンジ軸５１ａを矢印Ａ方向および反矢印Ａ方向に回動可能に軸支するヒンジ軸受部５３が形成されている。外蓋５０は、その前方部に外蓋取手部５０ａを有し、ヒンジ軸５１ａを中心に開閉可能にカバー体４６を覆っている。
【００２４】
モータ４４の上方にはブレーキ機構５４が配設されており、ブレーキ機構５４は、モータ４４の回転軸４４ａに固定され一体に回転するブレーキドラム５５と、ブレーキパット（図示せず）を有しそのブレーキパットがブレーキドラム５５に摺接して制動力を付与することができるブレーキレバー５６と、このブレーキレバー５６に連結されブレーキレバー５６の位置を変更させることができる可動部材５６ａと、ブレーキレバー５６のブレーキパットがブレーキドラム５５に摺接して制動力を付与する位置に付勢するスプリング（図示せず）とから構成されている。可動部材５６ａにはコントロールワイヤー５７の一端が連結されており、コントロールワイヤー５７の他端はコントロールワイヤー取付板５７ａに連結されている。コントロールワイヤー取付板５７ａの上端部には、略Ｌ字状に折り曲げた略逆Ｌ字部５７ｂが外蓋５０に形成した後方突出部５２に係止可能に設けられている。
【００２５】
この構成において、外蓋５０が閉塞された状態では、後方突出部５２は略水平状態であるため、コントロールワイヤー取付板５７ａの略逆Ｌ字部５７ｂが後方突出部５２に係止されている。このとき、コントロールワイヤー５７は可動部材５６ａを介して、ブレーキレバー５６のブレーキパットがブレーキドラム５５に摺接して制動力を付与する位置に付勢するスプリングの付勢力に抗してブレーキレバー５６のブレーキパットをブレーキドラム５５から離れる方向に引っ張る状態となり、ブレーキレバー５６のブレーキパットはブレーキドラム５５から離間して制動力を解除する制動力不作用位置に移動する。一方、外蓋５０が開放されると、後方突出部５２は矢印Ａ方向に回転移動し、コントロールワイヤー取付板５７ａの略逆Ｌ字部５７ｂの後方突出部５２への係止が外れる。そのため、ブレーキレバー５６のブレーキパットは、スプリングの付勢力により、ブレーキドラム５５に摺接して制動力を付与する制動力作用位置に移動する。
【００２６】
また、外蓋５０の下方のカバー体４６には開口部４７を覆う内蓋５８が設けられている。内蓋５８は前内蓋５８ａと後内蓋５８ｂとからなり、後内蓋５８ｂの後端部には横方向に向けて突設した内蓋用回転軸部５９を設け、内蓋用回転軸部５９はカバー体４６の後方部に設けた内蓋用回転軸支持部６０に矢印Ｂおよび反矢印Ｂ方向に回転可能に枢支されている。
【００２７】
図２は本発明の実施の形態１における脱水機の外蓋３８のロック状態での要部矢視図、図３は本発明の実施の形態１における脱水機の外蓋３８のロック解除状態での要部矢視図である。
【００２８】
図１、図２および図３において、パネル部材４９には矢印Ｃ方向および反矢印Ｃ方向にスライド可能なスライド部材６１が設けられており、パネル部材４９の外方に位置するスライド部材６１の上部にはスライド操作部６１ａが設けられ、パネル部材４９の内方に位置するスライド部材６１の下端部には逆Ｕ字状に切欠いた逆Ｕ字部６１ｂが設けられている。
【００２９】
パネル部材４９の内部のパネル台４８上には、第１支持突部６２および第２支持突部６３が設けられており、それぞれその先端部分に第１支持凹部６２ａおよび第２支持凹部６３ａを有している。第１支持凹部６２ａおよび第２支持凹部６３ａは、それぞれ第１軸ピン６４ａおよび第２軸ピン６４ｂを回転可能に枢支している。第１軸ピン６４ａおよび第２軸ピン６４ｂには、それぞれ一端側に第１アーム６５ａおよび第２アーム６５ｂが一体に設けられており、第１アーム６５ａと第２アーム６５ｂの先端部は係止ピン６６により連結されている。係止ピン６６は、スライド部材６１の下端部に設けた逆Ｕ字部６１ｂに遊嵌されており、スライド部材６１の矢印Ｂ方向および反矢印Ｂ方向へのスライド動作に伴い、第１軸ピン６４ａおよび第２軸ピン６４ｂの中心軸を回転中心として、矢印Ｄ方向および反矢印Ｄ方向に回動可能に構成されている。第１軸ピン６４ａの他端側にはロック部材６７が設けられ、第２軸ピン６４ｂの他端側には押圧部材６８が設けられている。ロック部材６７および押圧部材６８は、それぞれ係止ピン６６の回動に伴い、第１軸ピン６４ａおよび第２軸ピン６４ｂと一体に矢印Ｄ方向および反矢印Ｄ方向に回動するように構成されている。
【００３０】
また、パネル部材４９の内部にはモータ４４への通電を制御する開閉スイッチ６９が設けられている。開閉スイッチ６９は、上スイッチレバー７０と変形可能な下スイッチレバー７１と有しており、それぞれの先端近傍には上スイッチレバー接触部７０ａおよび下スイッチレバー接触部７１ａが設けられている。上スイッチレバー接触部７０ａと下スイッチレバー接触部７１ａは、自然状態（無負荷状態）では、図３に示すように、所定の間隙を有しており、開閉スイッチ６９は開状態となって、モータへ通電しないように構成している。一方、図２に示すように、下スイッチレバー７１の下スイッチレバー先端部７１ｂが下方より上方へ押し上げられると、上端子接触部７０ａと下端子接触部７１ａとが接触し、開閉スイッチ６９は閉状態となり、モータ４４への通電が可能な状態となるように構成している。
【００３１】
また、ロック部材６７には、その回転中心から所定の距離を有し他の部分より突出したロック面６７ａが設けられ、押圧部材６８には、その回転中心から所定の距離を有し他の部分より突出した当接面６８ａが設けられている。
【００３２】
この構成において、図２に示すように、スライド部材６１を矢印Ｃ方向に第１の所定の位置（Ｘ）までスライドさせると、ロック部材６７は矢印Ｄ方向に回転し、ロック部材６７に設けられたロック面６７ａが、外蓋５０に形成した後方突出部５２の下方に入り込み停止する。このとき、外蓋５０を開けようとしても、ロック面６７ａが後方突出部５２の下方にあるので、矢印Ａ方向への回転が規制され、外蓋５０は開放されるのを規制された状態、すなわちロック状態となっている。それとともに、押圧部材６８の当接面６８ａが下スイッチレバー先端部７１ｂに当接し下スイッチレバー先端部７１ｂを下方より上方へ押し上げる。それによって、上スイッチレバー接触部７０ａと下スイッチレバー接触部７１ａが接触した状態となるので、開閉スイッチ６９は閉状態となり、モータ４４への通電が可能な状態となっている。さらに、コントロールワイヤー取付板５７ａの略逆Ｌ字部５７ｂが後方突出部５２に係止された状態となるため、ブレーキレバー５６のブレーキパットがブレーキドラム５５から離間して制動力を解除する制動力不作用位置に移動し、脱水かご４３が回転可能な状態となっている。
【００３３】
一方、図３に示すように、スライド部材６１を反矢印Ｃ方向に第２の所定の位置（Ｙ）までスライドさせると、ロック部材６７は反矢印Ｄ方向に回転し、ロック部材６７のロック面６７ａは回転移動して外蓋５０に形成した後方突出部５２の下方の位置より外れ停止する。このとき、後方突出部５２の矢印Ａ方向への回転を規制するものがなくなるため、外蓋５０は自由に開放することができる状態、すなわちロックを解除した状態となっている。それとともに、押圧部材６８の当接面６８ａが下スイッチレバー先端部７１ｂへの当接から外れ、上スイッチレバー接触部７０ａと下スイッチレバー接触部７１ａが離れた状態となるので、開閉スイッチ６９が開状態となり、モータ４４への通電が不能な状態となっている。また、コントロールワイヤー取付板５７ａの略逆Ｌ字部５７ｂの係止が後方突出部５２から外れるので、スプリングの付勢力により、ブレーキレバー５６のブレーキパットがブレーキドラム５５に摺接して制動力を付与する制動力作用位置に移動し、脱水かご４３の回転にブレーキをかけている状態となっている。
【００３４】
図４は本発明の実施の形態１における脱水機の外蓋５０および内蓋５８の閉状態での要部側断面図、図５は本発明の実施の形態１における脱水機の外蓋５０および内蓋５８の開状態での要部側断面図、図６は本発明の実施の形態１における脱水機の外蓋５０および内蓋５８の開状態での要部断面矢視図である。
【００３５】
図１、図４、図５および図６において、前内蓋５８ａと後内蓋５８ｂとは内蓋連結軸部７２により中折れ状態になるように連結されている。前内蓋５８ａの両側壁の前端部には略円筒状の突起７３を設け、カバー体４６の開口部４７の上部両側壁には、横方向に凹状にへこみ前後方向に延びたガイド溝７４を設けており、突起７３はガイド溝７４内で矢印Ｅ方向および反矢印Ｅ方向に移動可能に遊嵌されている。
【００３６】
図４に示すように、前内蓋５８ａの上面には凹んだ凹部７５を設け、凹部７５の前方側の一部を前内蓋５８ａの上面と略面一に覆い、内蓋取手部７６としている。図６に示すように、この内蓋取手部７６に手を掛け上方に引き上げることにより、前内蓋５８ａが突起７３を中心として矢印Ｆ方向に回転し、内蓋連結軸部７２が上昇するとともに、突起７３はガイド溝７４内を矢印Ｅ方向に移動する。それと同時に、後内蓋５８ｂは内蓋連結軸部７２の上昇に伴って内蓋用回転軸部５９を中心に矢印Ｂ方向に回転し、図５に示すように、内蓋５８が開いた状態となる。一方、内蓋５８を閉じる際には、前内蓋５８ａの内蓋取手部７６を反矢印Ｅ方向に引くことにより、前内蓋５８ａの突起７３がガイド溝７４内を反矢印Ｅ方向に移動するとともに前内蓋５８ａは反矢印Ｆ方向に突起７３を中心に回転するとともに、内蓋連結軸部７２が下降する。それと同時に、後内蓋５８ｂは内蓋連結軸部７２の下降に伴って内蓋用回転軸部５９を中心に反矢印Ｂ方向に回転し、内蓋５８が閉じた状態となる。この構成により、内蓋５８を円滑に開閉することができるものである。
【００３７】
また、外蓋５０の内面側には、外蓋５０および内蓋５８を閉じた状態で前内蓋５８ａに設けた凹部７５に対応する位置にリブ７７を設け、そのリブ７７はその下端部が内蓋取手部７６に近接し、かつ凹部７５内に入り込むように形成している。
【００３８】
さらに、前内蓋５８ａの前端中央下部には、前方へ突出する前方突出部７８を設けており、カバー体４６の開口部４７の前端中央部には、内蓋５８が閉状態で前方突出部７８が入り込む孔部７９を設けている。
【００３９】
上記構成において動作を説明すると、使用者は、スライド部材６１が第２の所定の位置（Ｙ）に位置している状態で、脱水機の外蓋５０および内蓋５８を開き、開口部４７を介して脱水かご４３内に被脱水物を投入する。その後、前内蓋５８ａの内蓋取手部７６を反矢印Ｅ方向に引くことにより内蓋５８を閉じた後、外蓋５０を閉じ、スライド部材６１を矢印Ｃ方向に第１の所定の位置（Ｘ）までスライドさせる。これにより、外蓋５０はロックされた状態となり、また、開閉スイッチ６９は閉状態でモータ４４への通電が可能な状態となり、さらに、ブレーキ機構５４の制動力が解除され、脱水かご４３が回転可能な状態となる。この状態において、使用者が図示しない脱水開始スイッチをＯＮ状態にすると、モータ４４に電力が供給され、脱水かご４３が所定回転数で所定時間回転する脱水動作が開始される。その後、所定時間経過するとモータ４４への電力の供給が絶たれ、脱水かご４３は惰性回転を行った後停止し、その状態で使用者は、スライド部材６１を反矢印Ｃ方向にスライドさせた後、外蓋取手部５０ａに手をかけ引き上げることにより外蓋５０を開き、内蓋取手部７６に手をかけ引き上げることにより内蓋５８を開いた後、被脱水物を脱水かご４３内から取り出して、脱水を終了する。
【００４０】
上記脱水動作中、すなわち、脱水かご４３が所定回転数で回転している状態においては、ロック部材６７のロック面６７ａにより後方突出部５２の回転が規制されているため、外蓋５０はロックされており、上方に引き上げようとしても開けることができない。したがって、使用者は、何らかの理由（被脱水物の追加、あるいは途中取り出し）で、脱水動作中に、外蓋５０を開けようとすると、まず、スライド部材６１のスライド操作部６１ａに手をかけ、スライド部材６１を反矢印Ｃ方向に第２の所定の位置（Ｙ）までスライドさせる。これにより、外蓋５０はロック状態を解除された状態となり、また、開閉スイッチ６９は開状態となるので、モータ４４への通電が絶たれ、脱水かご４３は惰性回転の状態となる。その後、使用者は外蓋５０を開くため、ある程度の時間（使用者によって差は生ずるが、大体１秒前後）を要して、その操作する手を後方のスライド操作部６１ａから前方の外蓋５０の外蓋取手部５０ａまで移動させた後、外蓋５０を開くので、ブレーキ機構５４に制動力が働き、脱水かご４３の回転にブレーキがかかる状態となる。
【００４１】
このブレーキがかかるタイミングは、脱水かご４３が惰性回転している状態であり、操作する手を後方のスライド操作部６１ａから前方の外蓋５０の外蓋取手部５０ａまで移動させる時間を要した後であるので、脱水かご４３には、惰性回転の慣性力がある程度低下した状態でブレーキがかかることとなる。その後、使用者は、外蓋５０の外蓋取手部５０ａから前内蓋５８ａの内蓋取手部７６に手をかけて上方に引き上げることにより、内蓋５８を開放する。この際も、使用者は、操作する手を後方に移動した外蓋５０の外蓋取手部５０ａから前方の前内蓋５８ａの内蓋取手部７６まで移動させる時間（これも使用者によって差は生ずるが、大体１秒前後）をさらに要した後であるので、脱水かご４３は、完全に停止した状態であるか、あるいは、回転していたとしても安全性を確保できる低い所定回転速度以下である。したがって、使用者が被脱水物を取り出す時、その手または指が回転している脱水かご４３あるいは被脱水物にからみ付くことがなく、安全性の高い脱水機を実現することができる。
【００４２】
また、使用者が、脱水動作中に外蓋取手部５０ａに手をかけ引き上げることにより外蓋５０を開く際、外蓋５０を所定量以上開放しなければ、前内蓋５８ａの内蓋取手部７６に手をかけて内蓋５８を開こうとしても、内蓋取手部７６を上方に引き上げることができないため、開くことができない。そして、外蓋５０を所定量以上開放した後、前内蓋５８ａの内蓋取手部７６に手をかけて上方に引き上げ内蓋５８を開く。このとき、外蓋５０は、所定量以上開かれることにより、コントロールワイヤー取付板５７ａの略逆Ｌ字部５７ｂの係止が、外蓋５０の後方突出部５２から確実に外れ、脱水かご４３の回転に確実にブレーキをかけることができる。したがって、使用者が内蓋５８を開ける際には、脱水かご４３は、完全に停止した状態であるか、あるいは、回転していたとしても安全性を確保できる低い所定回転速度以下である。
【００４３】
また、外蓋５０の内面側に、外蓋５０および内蓋５８を閉じた状態で前内蓋５８ａに設けた凹部７５に対応する位置にリブ７７を設け、そのリブ７７はその下端部が内蓋取手部７６に近接し、かつ凹部７５内に入り込むように形成しているので、使用者が、外蓋５０を手や指が入る程度開いた後、内蓋取手部７６に手をかけようとしても、リブ７７が邪魔となり、手をかけることができないので、高速回転している脱水かごに触れることができい構成となっている。そのため、内蓋５８を開くためには、確実に外蓋５０を所定量以上開かなければならないので、その際、モータ４４への電力供給遮断およびブレーキ機構５４の制動力により、脱水かご４３の回転を確実に安全性を確保できる低い所定回転速度以下にすることができる。
【００４４】
さらに、前内蓋５８ａの前端中央下部には、前方へ突出する前方突出部７８を設けており、カバー体４６の開口部４７の前端中央部には、内蓋５８が閉状態で前方突出部７８が入り込む孔部７９を設けているので、前内蓋５８ａの内蓋取手部７６に手をかけて引き上げたとしても、前内蓋５８ａの前端部のみが浮き上がるといった現象は発生しない。また、熱変形、経時変化等により、前内蓋５８ａが変形したとしても、前端部のみが浮き上がるといった現象は発生しない。したがって、内蓋５８が閉じた状態で、前内蓋５８ａの前端部から、手や指が入ることはない。したがって、手または指が回転している脱水かご４３あるいは被脱水物にからみ付くことがなく、安全性の高い脱水機を実現することができる。
【００４５】
したがって、上記構成によれば、本発明の脱水機は、蓋をロックするための駆動装置等が必要なく、上記のような安価な方法で、外蓋３８を確実にロックでき、かつ、脱水途中で外蓋３８を開ける場合にも安全性を確保できるものである。また、脱水かご４３が高速回転状態では使用者は脱水かご４３に触れることはできず、脱水かご４３が完全に停止した状態であるか、あるいは、回転していたとしても安全性を確保できる低い所定回転速度以下の状態でしか脱水かご４３に触れることができないようにしているので、信頼性および安全性を向上させることができるとともに、低コスト化も実現させることができるものである。
【００４６】
なお、本実施の形態１では、ロック部材６７のロック面６７ａおよび押圧部材６８の当接面６８ａは、スライド部材６１のスライド動作により回動するようにしたが、スライド部材６１のスライド動作に伴って、ロック部材６７のロック面６７ａがスライドし、ロック部材６７のロック面６７ａが外蓋５０に形成した後方突出部５２の下方に入り込み停止するとともに、押圧部材６８の当接面６８ａがスライドし、開閉スイッチ６９を閉状態としてもよく、この構成によっても、同等の効果が得られることは言うまでもない。
【００４７】
また、スライド部材６１のスライド動作の代わりに、スライド操作部６１ａと逆Ｕ字部６１ｂの間に回転支持部を設け、回転動作により、ロック状態とロック解除状態を切換えるようにしてもよく、同等の効果が得られることは言うまでもない。
【００４８】
また、第１アーム６５ａ、第２アーム６５ｂおよび係止ピン６６に相当する部分を直接、パネル部材４９より上方に出し、その第１アーム６５ａ、第２アーム６５ｂおよび係止ピン６６に相当する部分を直接操作し、ロック状態とロック解除状態を切換えるようにしてもよく、同等の効果が得られることは言うまでもない。
【００４９】
また、凹部７５および内蓋取手部７６を前内蓋５８ａに設けたが、凹部７５および内蓋取手部７６を後内蓋５８ｂに設け、そこに対応する外蓋５０の内面側にリブ７７を設けてもよく、この構成によっても、同等の効果が得られることは言うまでもない。
【００５０】
さらに、リブ７７はその下端部が内蓋取手部７６に近接し、かつ凹部７５内に入り込むように形成しているが、外蓋５０を所定量以上開放しなければ、内蓋取手部７６に手をかけることができない構成であれば、リブ７７下端部が凹部７５内に入り込むまで延ばさなくて、凹部７５に近接させるだけでも、同等の効果が得られることは言うまでもない。
【産業上の利用可能性】
【００５１】
以上のように、本発明にかかる脱水機は、安価な方法で確実に蓋をロックし、かつ、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにし、安全性を高めているので、外蓋と内蓋と蓋のロック機構とを有した脱水機および脱水機能を有するとともに外蓋と内蓋と蓋のロック機構とを有した洗濯機等として有用である。
【図面の簡単な説明】
【００５２】
【図１】本発明の実施の形態１の脱水機の側断面図
【図２】同脱水機の外蓋のロック状態での要部矢視図
【図３】同脱水機の外蓋のロック解除状態での要部矢視図
【図４】同脱水機の外蓋および内蓋の閉状態での要部側断面図
【図５】同脱水機の外蓋および内蓋の開状態での要部側断面図
【図６】同脱水機の外蓋および内蓋の開状態での要部断面矢視図
【図７】従来の外蓋および内蓋を有する脱水機の側断面図
【図８】従来のロック機構を有する脱水機の要部側断面図
【符号の説明】
【００５３】
４１  本体
４３  脱水かご
４４  モータ
４７  開口部
５０  外蓋
５１ａ  ヒンジ軸（回転軸）
５２  後方突出部
５８  内蓋
５８ａ  前内蓋
５８ｂ  後内蓋
６７  ロック部材（ロック構成部材）
６７ａ  ロック面（ロック部）
【図１】
2005287617.tif 000003
【図２】
2005287617.tif 000004
【図３】
2005287617.tif 000005
【図４】
2005287617.tif 000006
【図５】
2005287617.tif 000007
【図６】
2005287617.tif 000008
【図７】
2005287617.tif 000009
【図８】
2005287617.tif 000010